(57)【要約】【課題】構造の簡単なカバー取付装置を提供する。【解決手段】カバー取付装置３００ａは、スライダ３１０と収納部３２０とを備える。スライダ３１０は、スプリング４００から引張力を受けるとともにスライダ側係合部３１２が収納側係合部３２２と係合することにより前記引張力に抗して収納口からスライダ側受け部３１１とスライダ側当接部３１３とを露出した状態で静止している。スライダ３１０は、スライダ側受け部３１１がカバー側突設部２０１ａを受けるとスライダ側係合部３１２による収納側係合部３２２との係合が解除し、係合の解除に伴い前記引張力によりスライダ側当接部３１３がカバー側突設部２０１ａに当接しながらカバー側突設部２０１ａを収納部３２０の内部に移動させる。【選択図】図５
2007294342.tif 000002
【特許請求の範囲】
【請求項１】
照明器具本体にカバーを取り付けるためのカバー取付装置において、
相手部品を自己の収納口から収納するとともに前記相手部品と係合する収納側係合部を有する収納部と、
前記相手部品として前記収納部に収納され前記収納口から前記収納部の内部に向かう方向に移動可能であるとともに前記収納口から前記内部へ向かう向きの引張力を作用する弾性体に接続されたスライダであって、
カバー周縁においてカバー中央から前記カバー周縁に向かう方向に突設されたカバー側突設部を受けるスライダ側受け部と、
前記収納側係合部と係合するスライダ側係合部と、
前記カバー側突設部に当接するスライダ側当接部と
を有するスライダと
を備え、
前記スライダは、
前記弾性体から前記引張力を受けるとともに前記スライダ側係合部が前記収納側係合部と係合することにより前記引張力に抗して前記収納口から前記スライダ側受け部と前記スライダ側当接部とを露出した状態で静止し、
前記スライダ側受け部が前記カバー側突設部を受けると前記スライダ側係合部による前記収納側係合部との係合が解除し、
係合の解除に伴い前記引張力により前記スライダ側当接部が前記カバー側突設部に当接しながら前記カバー側突設部を前記収納部の内部に移動させる
ことを特徴とするカバー取付装置。
【請求項２】
前記収納部は、
前記照明器具本体の一部として形成されたことを特徴とする請求項１記載のカバー取付装置。
【請求項３】
前記収納部は、さらに、
前記照明器具本体に前記カバーを取り付ける場合に、前記カバー側突設部を前記スライダ側受け部の近傍から前記スライダ側受け部までガイドする収納側ガイド部を備えたことを特徴とする請求項１または２いずれかに記載のカバー取付装置。
【請求項４】
カバー側突設部を有するカバーと、
前記カバー側突設部に対応する位置に請求項１〜３のいずれかに記載のカバー取付装置を有する照明器具本体と
を備えたことを特徴とする照明器具。
【発明の詳細な説明】
【技術分野】
【０００１】
この発明は、照明器具本体にカバーを取り付けるためのカバー取付装置及び前記カバー取付装置を備えた照明器具に関する。
【背景技術】
【０００２】
従来、照明器具本体にカバーを取付ける際、カバーを照明器具本体の取付け位置に合せ、カバーを回転させて本体に固定していた。この場合、通常、カバーが照明器具本体よりも大きい為、カバーの取り付け位置が容易に認識出来ず、カバーの取り付けが困難であるという課題があった。この課題に対し、例えば、実開平７−２５５１１号公報（特許文献１）に有る様に、照明器具本体にカバー固定機構を設ける方法が考案された。しかし、取付機構が多くの部品で構成されると共に、カバー固定を解除するレバー等が別途必要になるなど、カバー固定・解除機構が複雑な構造となるという課題があった。
【特許文献１】実開平７−２５５１１号公報
【発明の開示】
【発明が解決しようとする課題】
【０００３】
この発明は、構造の簡単なカバー取付装置を提供することを目的とする。
【課題を解決するための手段】
【０００４】
この発明のカバー取付装置は、
照明器具本体にカバーを取り付けるためのカバー取付装置において、
相手部品を自己の収納口から収納するとともに前記相手部品と係合する収納側係合部を有する収納部と、
前記相手部品として前記収納部に収納され前記収納口から前記収納部の内部に向かう方向に移動可能であるとともに前記収納口から前記内部へ向かう向きの引張力を作用する弾性体に接続されたスライダであって、
カバー周縁においてカバー中央から前記カバー周縁に向かう方向に突設されたカバー側突設部を受けるスライダ側受け部と、
前記収納側係合部と係合するスライダ側係合部と、
前記カバー側突設部に当接するスライダ側当接部と
を有するスライダと
を備え、
前記スライダは、
前記弾性体から前記引張力を受けるとともに前記スライダ側係合部が前記収納側係合部と係合することにより前記引張力に抗して前記収納口から前記スライダ側受け部と前記スライダ側当接部とを露出した状態で静止し、
前記スライダ側受け部が前記カバー側突設部を受けると前記スライダ側係合部による前記収納側係合部との係合が解除し、
係合の解除に伴い前記引張力により前記スライダ側当接部が前記カバー側突設部に当接しながら前記カバー側突設部を前記収納部の内部に移動させる
ことを特徴とする。
【発明の効果】
【０００５】
この発明により、構造の簡単なカバー取付装置を提供することができる。
【発明を実施するための最良の形態】
【０００６】
実施の形態．
図１〜図１０を用いて実施の形態を説明する。本実施の形態は、天井に取り付けられる照明器具本体にカバーを取り付けるためのカバー取付装置に関する。
【０００７】
図１は、照明器具１０００の構成の概略を示す図である。照明器具１０００は、照明器具本体１００とカバー２００とを備える。
【０００８】
照明器具本体１００は、天井に取り付けられる。図の矢印ａ方向が天井方向であり、矢印ｂ方向が室内方向である。図１は、照明器具本体１００が３つのカバー取付装置３００ａ〜３００ｃを備えている場合を示している。カバー取付装置３００ａ〜３００ｃの構成は同じである。カバー取付装置３００ａ等を３つ備えるのは一例であり、後述する図８のようにカバー取付装置を２つ備える構成でも構わない。
【０００９】
以下ではカバー取付装置３００ａを例に説明する。カバー取付装置３００ａは、スライダ３１０と収納部３２０とを備える。収納部３２０は、照明器具本体１００の一部として形成され、スライダ３１０を収納する。スライダ３１０は、収納部３２０に収納され、収納部３２０の中を移動可能である。スライダ３１０にはスプリング４００（弾性体）が接続されている。スプリング４００は伸ばされており、スライダ３１０は、スプリング４００に引っ張られている。
【００１０】
カバー２００は、カバー周縁２０２において、カバー中央からカバー周縁２０２に向かう方向に突設された３つのカバー側突設部２０１ａ〜２０２ｃを備える。それぞれのカバー側突設部は、３つのカバー取付装置のそれぞれに対応して設けられている。カバー２００の取り付け動作については図９の説明で後述する。
【００１１】
図２は、図１に示したカバー取付装置３００ａの周辺部分を拡大した図である。収納部３２０は、スライダ３１０を取り込む収納口３２１を有している。図２では、スライダ３１０の約半分が収納口３２１から収納部３２０の内部に収納されており、スライダ３１０のうち収納部３２０に収納されている部分を破線で示している。
【００１２】
図３は、スライダ３１０の各面を示す図である。図３では、（ａ）は平面図、（ｂ）は正面図、（ｃ）は底面図である。
図３に示すように、スライダ３１０は、細長い長方形の形状の板状体がＵ字に曲げられ、Ｕ字先端の一端が他端の方向に９０度曲げられ、９０度曲げられた一端の先端が他端の先端に位置するように形成されている。スライダ３１０は、カバー側突設部２０１ａを受けるスライダ側受け部３１１と、収納側係合部３２２と係合するスライダ側係合部３１２と、カバー側突設部２０１ａに当接するスライダ側当接部３１３とを有する。これらスライダ側受け部３１１等の機能については図９の取り付け動作で説明する。スライダ側係合部３１２は、図３（ｂ），（ｃ）に示すように、三角形状の突起である。
【００１３】
図４は、図１におけるカバー取付装置３００ａのＡ方向矢視である。スライダ３１０のスライダ側受け部３１１がカバー側突設部２０１ａを受ける。また、収納部３２０がスライダ３１０を収納する。スプリング４００は伸ばされた状態であり、スライダ３１０に引張力を作用している。図４では収納部３２０が有する収納側係合部３２２も示している。収納側係合部３２２は、スライダ３１０のスライダ側係合部３１２と係合する。収納側係合部３２２は、収納部３２０の底面に形成された矩形形状の開口である。スライダ側係合部３１２が収納側係合部３２２にはまることによって、スライダ３１０はスプリング４００から作用される引張力に抗して静止する。
【００１４】
図５は、図１において、スライダ３１０のスライダ側受け部３１１が、カバー側突設部２０１ａを受けた状態を示す図である。カバー側突設部２０１ａがスライダ側受け部３１１を天井方向に押し上げると、スライダ側係合部３１２が収納側係合部３２２から抜け、スライダ３１０はスプリング４００の引張力に抗することができなくなる。これにより、スライダ３１０はスプリング４００の縮む方向へ引っ張られることにより収納部３２０の内部方向に移動する。その場合、スライダ３１０のスライダ側当接部３１３がカバー側突設部２０１ａの左の側面に当接しながらカバー側突設部２０１ａを収納部３２０の内部に移動させることにより、カバー側突設部２０１ａを収納部３２０の内部に収納する。これによりカバー２００を照明器具本体１００に取り付けることができる。
【００１５】
図６は図５におけるカバー取付装置３００ａの部分を拡大した図である。すなわち、スライダ側受け部３１１がカバー側突設部２０１ａを受けたことにより、スライダ側係合部３１２が収納側係合部３２２から抜けた状態を示している。図７は図６におけるＢ−Ｂ断面図である。このＢ−Ｂ断面図に示すように、収納部３２０は、照明器具本体１００の一部として形成されている。照明器具本体１００の縁が逆Ｌ字の形状に形成されることにより、収納部３２０が形成されている。また照明器具本体１００にはスライダ３１０に沿うようにストッパ３２３が設けられている。ストッパ３２３によりスライダ３１０がｄ方向へずれることを防止する。
【００１６】
図８は、図１に対してカバー取付装置を２箇所とした構成である。また図１に対してカバー取付装置３００の庇部を省略したより簡単な構成としている。
【００１７】
図９は、図８のカバー取付装置の構成におけるカバー２００の取り付け動作を説明する図である。以下、図８、図９を参照して、カバー２００の取り付け動作を説明する。
【００１８】
（ステップ１）
図９のステップ１において、スライダ３１０は、スプリング４００から引張力ｆを受けている。また同時に、スライダ３１０は、スライダ側係合部３１２が収納側係合部３２２と係合することにより、スプリング４００からの引張力ｆに抗して収納口３２１からスライダ側受け部３１１とスライダ側当接部３１３とを露出した状態で静止している。
【００１９】
（ステップ２）
ステップ２において、スライダ３１０は、スライダ側受け部３１１がカバー側突設部２０１ａを受けると、スライダ側係合部３１２による収納側係合部３２２との係合が解除する。すなわち図９のステップ２に示すように、収納部３２０の収納側係合部３２２からスライダ側係合部３１２が抜ける。
【００２０】
（ステップ３）
ステップ３において、スライダ３１０は、スライダ側係合部３１２と収納側係合部３２２との係合の解除に伴い、引張力ｆによりスライダ側当接部３１３がカバー側突設部２０１ａの左側面に当接しながらカバー側突設部２０１ａを収納部３２０の収納口から内部に移動させる。このカバー側突設部の移動を図１の場合に当てはめて説明すれば、図１に示すように、カバー側突設部２０１ａ〜カバー側突設部２０１ｃのそれぞれがｅ方向に移動する。即ちカバー２００はｅ方向に回転する。
【００２１】
（ステップ４）
ステップ４において、スライダ３１０のうちスプリング４００が取り付けられている側が収納部３２０に設けられているスライダ止め３２４に突き当たることにより、スライダ３１０は動きを止められる。これにより、カバー側突設部２０１ａが収納部３２０の所定の位置に収納される。スライダ３１０がスライダ止め３２４に突き当った状態では、いまだ引張力ｆが残存しているので、スライダ３１０は、固定的に収納部３２０に収納される。またカバー側突設部２０１ａも固定的に収納部３２０に収納される。
【００２２】
カバー２００を照明器具本体１００から取り外す場合は、図９のステップ１〜ステップ４の動作を逆にすればよい。すなわち、カバー側突設部２０１ａ等が収納部３２０に収納されている状態でカバー２００をｅ方向と反対方向に加点させることで、スライダ３１０が収納部から外へ出る。すなわち、図９の
ステップ４→ステップ３→ステップ２→ステップ１
の状態となり、カバー２００をとりはずすことができる。このように、解除レバー等の取り外しのための特別の部品を必要とすることなく照明器具本体１００からカバー２００を取り外すことができる。
【００２３】
図１０は、収納部３２０が、収納側ガイド部３３０を備えた場合を示す図である。収納側ガイド部３３０は、照明器具本体１００にカバー２００を取り付ける場合に、カバー側突設部２０１ａをスライダ側受け部３１１の近傍からスライダ側受け部３１１までガイドする。すなわち、カバー２００を取り付ける際には、カバー側突設部２０１ａを長さＬの範囲のいずれかの位置に位置させることにより、カバー側突設部２０１ａを収納側ガイド部３３０の曲線に沿って
（ａ）の位置→（ｂ）の位置→（ｃ）の位置
というように、スライダ側受け部３１１まで容易に移動することができる。図１０では、収納側ガイド部３３０は天井側に凸の曲線としてが、図１０において、スライダ側受け部３１１に向かう左上がりの直線としても構わない。また、図１０では曲線部分（あるいは左上がりの直線）の奥行きは表現していないが、奥行きは板状でもよいし、あるいは面でもよい。カバー側突設部２０１ａをガイドできればよい。
【００２４】
本実施の形態のカバー取付装置は、スライダと収納部とを備え、スライダ側受け部がカバー側突設部を受けるとスライダ側係合部による収納側係合部との係合が解除し、係合の解除に伴いスプリングの引張力によりスライダ側当接部がカバー側突設部に当接しながらカバー側突設部を収納部の内部に移動させる。したがって、カバーをスライダのスライダ側受け部に押し付けるだけで、ロックが解除され簡単にカバーを照明器具本体に取り付けることができる。
【００２５】
本実施の形態のカバー取付装置は、収納部が照明器具本体の一部として一体で形成されているので、照明器具本体に収納部を取り付ける手間を省くことができる。
【００２６】
本実施の形態のカバー取付装置は、収納側ガイド部を備えたので、取付け作業者は、カバー取り付けの際に、カバー側突設部を容易にスライダ側受け部の位置まで移動することができる。
【００２７】
本実施の形態の照明器具は、カバー取付装置３００ａ等を備えたので、簡単な構造で、容易にカバーを照明器具本体に取り付けることができる。
【図面の簡単な説明】
【００２８】
【図１】実施の形態における照明器具１０００の構成の概略を示す図。
【図２】図１に示したカバー取付装置３００ａの周辺部分を拡大した図。
【図３】実施の形態におけるスライダ３１０の各面を示す図。
【図４】図１におけるカバー取付装置３００の裏側を説明するためのＡ方向矢視。
【図５】図１において、スライダ側受け部３１１がカバー側突設部２０１ａを受けた状態を示す図。
【図６】図５におけるカバー取付装置３００ａの部分を拡大した図。
【図７】図６のＢ−Ｂ断面図。
【図８】図１に対してカバー取付装置を２箇所とした構成図。
【図９】図８のカバー取付装置の構成におけるカバー２００の取り付け動作を説明する図。
【図１０】収納部３２０が収納側ガイド部３３０を備えた場合を示す図。
【符号の説明】
【００２９】
１００  照明器具本体、２００  カバー、２０１ａ，２０１ｂ，２０１ｃ  カバー側突設部、２０２  カバー周縁、３００  カバー取付装置、３１０  スライダ、３１１  スライダ側受け部、３１２  スライダ側係合部、３１３  スライダ側当接部、３２０  収納部、３２１  収納口、３２２  収納側係合部、３２３  ストッパ、３２４  スライダ止め、３２５  収納側ガイド部、４００  スプリング、１０００  照明器具。
【図１】
2007294342.tif 000003
【図２】
2007294342.tif 000004
【図３】
2007294342.tif 000005
【図４】
2007294342.tif 000006
【図５】
2007294342.tif 000007
【図６】
2007294342.tif 000008
【図７】
2007294342.tif 000009
【図８】
2007294342.tif 000010
【図９】
2007294342.tif 000011
【図１０】
2007294342.tif 000012